(57)【要約】【課題】  ユーザが変わっても、表示装置上のアドレス、データその他の情報の関連性を容易に理解することができるようにすること。【解決手段】  プログラマブル・コントローラからデータを受信して前記データに対応するコメントを付加して表示するプログラマブル・コントローラのデータ表示装置において、前記コメントを記憶する少なくとも２台以上のユーザ・コメント・ファイルと、前記ユーザ・コメント・ファイルを切換える切換部と、切り換えられた前記ユーザ・コメント・ファイルからのコメントを前記データに付加して表示する表示部とを備えることを特徴とするプログラマブル・コントローラのデータ表示装置。【選択図】                    図１
2006209467.tif 000002
【特許請求の範囲】
【請求項１】
プログラマブル・コントローラからデータを受信して前記データに対応するコメントを付加して表示するプログラマブル・コントローラのデータ表示装置において、
前記コメントを記憶する少なくとも２台以上のユーザ・コメント・ファイルと、
前記ユーザ・コメント・ファイルを切換える切換部と、
切り換えられた前記ユーザ・コメント・ファイルからのコメントを前記データに付加して表示する表示部と
を備えることを特徴とするプログラマブル・コントローラのデータ表示装置。
【請求項２】
前記ユーザ・コメント・ファイルは、ユーザにより書き換えられることを特徴とする請求項１記載のプログラマブル・コントローラのデータ表示装置。
【請求項３】
前記切換部は、ユーザにより切り換えられることを特徴とする請求項１記載のプログラマブル・コントローラのデータ表示装置。
【請求項４】
前記ユーザ・コメント・ファイルは、受信したデータに対応した「データ型」を格納するものであることを特徴とする請求項１記載のプログラマブル・コントローラのデータ表示装置。
【請求項５】
前記表示部は、前記データに対応した、前記データ型及び前記コメントを付加して表示することを特徴とする請求項１から請求項４のいずれかに記載のプログラマブル・コントローラのデータ表示装置。
【発明の詳細な説明】
【技術分野】
【０００１】
本発明は、プログラマブル・コントローラからアップロードしたデータを表示するプログラマブル・コントローラのデータ表示装置に関し、特に、データとともに表示するコメントのカスタマイズを実現するプログラマブル・コントローラのデータ表示装置に関するものである。
【背景技術】
【０００２】
プログラマブル・コントローラ（以下、「ＰＬＣ」と略する）にあって、シーケンス命令のプログラムは、命令とデバイスとで構成され、更に、デバイスは信号名と実アドレスの二つで表現される。
【０００３】
上記したような、信号名と、実アドレスの表示方式には、例えば、次のような文献が存在する。
【０００４】
【特許文献１】特開２００２−３７３００７
【０００５】
上記に記載される技術は、単に、信号名、実アドレス、コメントを対応させて表示するものであり、例えば、ＰＬＣ側のデータを収集してそのデータにコメントを付加するという思想はなかった。
【０００６】
以下、ＰＬＣからデータを受信、収集、アップロードし、このデータにコメントを付加する一般的な方式について、図面を用いて説明する。例えば、図３に示すようなプログラマブル・コントローラのデータ表示装置を挙げることができる。
【０００７】
図３にあって、プログラマブル・コントローラ（ＰＬＣ）１０は、システム・バスＢを介してコンピュータ・システム２０に接続する。コンピュータ・システム２０は、内部にＣＰＵ等の制御部２１を備えるとともに、表示装置であるディスプレイ３０、ユーザ・コメント・ファイル４０を備える。
【０００８】
この図で、コンピュータ・システム２０は、矢印Ｐ，Ｑに示すように、ＰＬＣ１０とシステム・バスＢを介して種々のデータを送信、受信、収集、アップロードする。コンピュータ・システム２０内の制御部２１は、ユーザ・コメント・ファイル４０を参照し、アップロードしたデータに対応したコメントを付加してディスプレイ３０に送信し、表示を実行する。
【０００９】
ディスプレイ３０における表示は、図４に示す通りである。即ち、ＰＬＣ１０のモジュールに対応した「アドレス」及びこの「アドレス」に対応した「データ」に、対応する「データ型」、「コメント」を付加して表示する。
【発明の開示】
【発明が解決しようとする課題】
【００１０】
以上のような従来のプログラマブル・コントローラの表示装置にあっては、アップロードした「データ」に対応する「データ型」及び「コメント」は、システム構築前にユーザ・コメント・ファイル４０に予め設定されるものであった。
【００１１】
このため、ディスプレイ３０に表示される「コメント」から、「アドレス」及び「データ」の意味は理解することができるが、この「アドレス」及び「データ」はユーザ毎に固有の意味を持つことがあり、ユーザが変わると、その固有の意味を理解することができなかった。
【００１２】
また、ディスプレイ３０上の表示における「データ型」についても同様であり、「データ型」ユーザ毎に固有の意味を持つことがあり、ユーザが変わると、その固有の意味を理解することができなかった。
【００１３】
このように、ユーザ・コメント・ファイル４０は、システムによって固定であり、ユーザが変わると、「データ」の意味するところが全く理解することができないという問題があった。
【００１４】
本発明は上述した問題点を解決するためになされたものであり、ユーザが変わっても、表示装置上のアドレス、データその他の情報の関連性を容易に理解することができるようにすることを目的とする。
【課題を解決するための手段】
【００１５】
このような課題を解決する本発明の構成は次の通りである。
（１）プログラマブル・コントローラからデータを受信して前記データに対応するコメントを付加して表示するプログラマブル・コントローラのデータ表示装置において、
前記コメントを記憶する少なくとも２台以上のユーザ・コメント・ファイルと、
前記ユーザ・コメント・ファイルを切換える切換部と、
切り換えられた前記ユーザ・コメント・ファイルからのコメントを前記データに付加して表示する表示部と
を備えることを特徴とするプログラマブル・コントローラのデータ表示装置。
（２）前記ユーザ・コメント・ファイルは、ユーザにより書き換えられることを特徴とする（１）記載のプログラマブル・コントローラのデータ表示装置。
（３）前記切換部は、ユーザにより切り換えられることを特徴とする（１）記載のプログラマブル・コントローラのデータ表示装置。
（４）前記ユーザ・コメント・ファイルは、受信したデータに対応した「データ型」を格納するものであることを特徴とする（１）記載のプログラマブル・コントローラのデータ表示装置。
（５）前記表示部は、前記データに対応した、前記データ型及び前記コメントを付加して表示することを特徴とする（１）から（４）のいずれかに記載のプログラマブル・コントローラのデータ表示装置。
【発明の効果】
【００１６】
以上説明したことから明らかなように、本発明によれば次のような効果がある。
本発明によれば、データに対応して表示するデータ型、コメントをカスタマイズすることができ、更に、ユーザによってユーザ・コメント・ファイルを選択することができるので、ユーザに合わせて、使用する「データ」に対応した「データ型」、「コメント」を設定、表示することができる。
【００１７】
従って、ユーザが変更になっても、そのユーザは「データ」の意味するところを理解することができ、表示装置上のアドレス、データその他の情報の関連性を容易に理解することができるものである。
【発明を実施するための最良の形態】
【００１８】
以下、図面を用いて本発明を詳細に説明する。
図１は本発明の一実施例を示す構成図である。この図で、図３に示した従来の装置と番号が同じものは機能は同じであるので、その詳しい説明は省略する。
【００１９】
コンピュータ・システム２０は、矢印Ｐ，Ｑに示すように、プログラマブル・コントローラＰＬＣ２０とデータを送受信し、ディスプレイ３０に表示する動作は、図３に表わした従来の装置と同様である。
【００２０】
本発明のプログラマブル・コントローラのデータ表示装置は、第１ユーザ・コメント・ファイル４１、第２ユーザ・コメント・ファイル４２を備えるとともに、コンピュータ・システム２０に、これらの第１ユーザ・コメント・ファイル４１または第２ユーザ・コメント・ファイル４２を切り換える切換部２２を設置したことを特徴とするものである。
【００２１】
これらの第１ユーザ・コメント・ファイル４１、第２ユーザ・コメント・ファイル４２は、ユーザにより読み書き可能であり、コメント編集機能、ユーザ・コメント・ファイル保存機能、ユーザ・コメント／システム・コメント表示切換可能機能、データ型変換機能を用意する。
【００２２】
つまり、第１ユーザ・コメント・ファイル４１、第２ユーザ・コメント・ファイル４２には、ユーザが任意にコメントを設定、編集、付加することができるものである。
【００２３】
例えば、第１ユーザ・コメント・ファイル４１は、図３及び図４に示したような、予め、システム側で定義したような「データ型」、「コメント」を記憶格納する。
【００２４】
そして、第２ユーザ・コメント・ファイル４２は、第１ユーザ・コメント・ファイル４１とは別のユーザが使用できるように、この別のユーザが、使用するデータに対応するように、任意の「データ型」、「コメント」を任意に記憶格納する。
【００２５】
制御部２１は、このシステムを使用するユーザの選択により、切換部２２を制御し、第１ユーザ・コメント・ファイル４１または第２ユーザ・コメント・ファイル４２を切り換える。
【００２６】
ユーザの選択により、切換部２２が第１ユーザ・コメント・ファイル４１を選択した場合は、図３の従来の装置と同様に動作し、その表示結果は、図４の通りである。
【００２７】
一方、ユーザが切換部２２により、第２ユーザ・コメント・ファイル４２を選択した場合は、第１ユーザ・コメント・ファイル４１に記憶格納「データ型」及び「コメント」とは異なる情報を表示する。
【００２８】
第２ユーザ・コメント・ファイル４２を選択した場合は、特に、図２におけるフレームＡに表わすように表示を行なう。つまり、第２ユーザ・コメント・ファイル４２には、「アドレス」“２５６７”及び“２５６８”に、「データ型」“Ｃｈａｒ”，「コメント」“制御系ＰＬＣ”が記憶格納されていて、この情報が表示される。
【００２９】
また、図１の例では、二人のユーザを想定し、第１，第２ユーザ・コメント・ファイル４１，４２の２台を設置する装置を表わしたが、２台でなくてもよく、３台、４台というように複数台設置してこれらを切り換えるようにしてもよい。
【００３０】
このように、本発明は、ユーザによってユーザ・コメント・ファイルを選択することができるので、ユーザに合わせて、使用する「データ」に対応した「データ型」、「コメント」を設定、表示することができる。
【００３１】
従って、ユーザが変更になっても、ユーザ・コメント・ファイルを切換選択することにより、そのユーザは「データ」の意味するところを理解することができ、表示装置上のアドレス、データその他の情報の関連性を容易に理解することができる。
【００３２】
以上まとめると、本発明の装置より次の作用効果を期待することができる。
（１）ＰＬＣモジュールのアドレスに対してユーザが自由にコメントを付けることができる。
（２）付加したコメントは保存することができ、必要なときに、そのコメントを表示することができる。
（３）同一のＰＬＣモジュールに対して、複数のコメントを作成することができ，用途に合わせて切り替えて表示させることができる。
（４）ファイル・コピー操作等により、他システムの同一モジュールへと容易に展開することができる。
（５）ユーザが表示させたいデータ型で表示することができるようになり、デバッグが容易になる。
【図面の簡単な説明】
【００３３】
【図１】本発明のプログラマブル・コントローラの表示装置を表わす構成ブロック図である。
【図２】本発明の装置による表示の例を表わす図である。
【図３】従来のプログラマブル・コントローラの表示装置を表わす構成ブロック図である。
【図４】従来の装置による表示の例を表わす図である。
【符号の説明】
【００３４】
１０  プログラマブル・コントローラ（ＰＬＣ）
２０  コンピュータ・システム
２１  制御部
２２  切換部
３０  ディスプレイ
４０  コメント・ファイル
４１  第１ユーザ・コメント・ファイル
４２  第２ユーザ・コメント・ファイル
Ｂ  システム・バス
【図１】
2006209467.tif 000003
【図３】
2006209467.tif 000004
【図２】
2006209467.tif 000005
【図４】
2006209467.tif 000006